(57)【要約】【課題】一部に視聴制限のシーンがあることから光ディスクの全体が視聴制限の対象になってしまうという不便さを解消する。【解決手段】少なくとも映像と音声とが記録された光ディスク１を再生して得られた信号を表示装置１０に出力することによって、表示装置１０において映像の表示と音声の出力を行う構成において、光ディスク１の再生を禁止する範囲であり、禁止開始位置と禁止終了位置とによって範囲が示される再生禁止範囲を、光ディスク１を識別するディスク識別情報に対応付けて記憶する禁止情報記憶手段７を備え、再生対象となる光ディスク１が、禁止情報記憶手段７に記憶されたディスク識別情報に対応する光ディスクであるときには、禁止情報記憶手段７に記憶された再生禁止範囲の映像表示を禁止する。【選択図】  図１
2004259335.tif 000002
【特許請求の範囲】
【請求項１】
少なくとも映像と音声とが記録された光ディスクを再生して得られた信号を表示装置に出力することによって、表示装置において映像を表示するとともに表示装置において音声を出力するディスク再生装置において、
予め入力されたパスワードを記憶するパスワード記憶手段と、
光ディスクの再生を禁止する範囲であり、禁止開始位置と禁止終了位置とによって範囲が示される再生禁止範囲を、光ディスクを識別するディスク識別情報に対応付けて記憶する禁止情報記憶手段とを備え、
パスワードモードとスキップモードとの２種のモードから一方のモードが選択可能となっており、
再生対象となる光ディスクが、禁止情報記憶手段においてディスク識別情報と再生禁止範囲とが対応付けられる形で記憶された光ディスクであり、且つ、スキップモードが選択されていたときには、前記再生禁止範囲を飛び越した再生を行い、
再生対象となる光ディスクが、禁止情報記憶手段においてディスク識別情報と再生禁止範囲とが対応付けられる形で記憶された光ディスクであり、且つ、パスワードモードが選択されていたきには、前記再生禁止範囲の禁止開始位置まで光ディスクの再生を行ったときにパスワードの入力を求め、入力されたパスワードがパスワード記憶手段に記憶されたパスワードと一致するときには前記再生禁止範囲の再生を行い、
パスワード記憶手段に記憶されたパスワードに一致するパスワードが入力されたときには、禁止情報記憶手段に記憶された再生禁止範囲の削除を許可することを特徴とするディスク再生装置。
【請求項２】
少なくとも映像と音声とが記録された光ディスクを再生して得られた信号を表示装置に出力することによって、表示装置において映像を表示するとともに表示装置において音声を出力するディスク再生装置において、
光ディスクの再生を禁止する範囲であり、禁止開始位置と禁止終了位置とによって範囲が示される再生禁止範囲を、光ディスクを識別するディスク識別情報に対応付けて記憶する禁止情報記憶手段を備え、
再生対象となる光ディスクが、禁止情報記憶手段においてディスク識別情報と再生禁止範囲とが対応付けられる形で記憶された光ディスクであるときには、前記再生禁止範囲の映像表示を禁止することを特徴とするディスク再生装置。
【請求項３】
予め入力されたパスワードを記憶するパスワード記憶手段を備え、
禁止情報記憶手段に記憶された再生禁止範囲の禁止開始位置まで光ディスクの再生を行ったときにパスワードの入力を求め、入力されたパスワードがパスワード記憶手段に記憶されたパスワードと一致するときには、前記再生禁止範囲の映像表示の禁止を解除することを特徴とする請求項２記載のディスク再生装置。
【請求項４】
予め入力されたパスワードを記憶するパスワード記憶手段を備え、
禁止情報記憶手段に記憶された再生禁止範囲の禁止開始位置まで光ディスクの再生を行ったときにパスワードの入力を求め、入力されたパスワードがパスワード記憶手段に記憶されたパスワードと一致するときには、前記再生禁止範囲の映像表示の禁止を解除するパスワードモードと、
パスワードの入力を求めることなく前記再生禁止範囲を飛び越した再生を行うスキップモードと
の２種のモードから一方のモードを選択可能としたことを特徴とする請求項２記載のディスク再生装置。
【請求項５】
禁止情報記憶手段に記憶された再生禁止範囲については、表示装置において映像の表示を行うことなく表示装置において音声を出力することを特徴とする請求項２記載のディスク再生装置。
【請求項６】
禁止情報記憶手段に記憶された再生禁止範囲については、表示装置において映像を表示することなく字幕を表示することを特徴とする請求項２記載のディスク再生装置。
【請求項７】
禁止情報記憶手段に記憶された再生禁止範囲については飛び越した再生を行うとともに、前記再生禁止範囲を飛び越して再生したことを示すメッセージを表示装置において表示することを特徴とする請求項２記載のディスク再生装置。
【請求項８】
再生対象となる光ディスクは、少なくとも映像と音声とが記録され、且つ、記録された映像の粗筋が文字情報として記録された光ディスクであり、
禁止情報記憶手段に記憶された再生禁止範囲については、表示装置において映像の表示を行うことなく、光ディスクに記録された粗筋のうちの前記再生禁止範囲に対応する粗筋を表示装置において表示することを特徴とする請求項２記載のディスク再生装置。
【発明の詳細な説明】
【０００１】
【発明の属する技術分野】
本発明は、光ディスクを再生して得られた信号を表示装置に出力することによって、映像の表示と音声の出力とを行うディスク再生装置に係り、より詳細には、光ディスクの再生禁止に設定された範囲の映像の表示を停止するディスク再生装置に関するものである。
【０００２】
【従来の技術】
映画等の映像が記録されたＤＶＤには、例えば、子供が視聴するには相応しくない内容が記録されたＤＶＤがある。このため、パレンタルロック機能を用いて、視聴制限を行うようになっている。すなわち、ＤＶＤのそれぞれには、１〜８までの８段階の視聴制限のレベルのうち、記録された内容に対応するレベルが記録されている。また、この視聴制限のレベルは、数値が大きくなるほどに、制限の程度が強くなっていて、装置に設定された制限レベルより、レベルが小さいＤＶＤのみが再生可能となる。このため、装置を低年齢向けに設定するときには、装置に設定する制限レベルを小さい値とし、高年齢向けに設定するときには、装置に設定する制限レベルを大きい値とするようになっている。また、制限レベルを０〜８の９段階に拡張した装置も提案されており、制限レベルの０が装置に設定された場合では全てのＤＶＤの再生を禁止するようになっている。
【０００３】
しかし、過激な映像等の視聴を制限するのが相応しい映像がビデオＣＤに記録されている場合があり、視聴制限を行うのに相応しい音声がＣＤに記録されている場合もあるため、以下に示す従来技術が提案されている。すなわち、この技術においては、再生禁止のレベル（レベル０）が設定されていると、ＤＶＤ、ビデオＣＤ、ＣＤの再生を禁止するようになっている。そして、レベル０とは異なるレベル（レベル１〜８）が設定されている場合では、再生の対象がＤＶＤの場合、パレンタルロック機能に基づいて視聴の制限を行い、ビデオＣＤやＣＤの場合では、通常に再生を行うようになっている。このため、過激な映像が記録されたビデオＣＤ、あるいは、過激な音声が記録されたＣＤの視聴を制限することができるようになっている（例えば、特許文献１参照）。
【０００４】
【特許文献１】
特開２００１−６７７７１号公報
【０００５】
【発明が解決しようとする課題】
しかしながら上記従来技術を用いた場合では、以下に示す問題が生じていた。すなわち、ＤＶＤに記録された映像は、その大部分が視聴を制限する必要のない内容となっており、一部においてのみ視聴を制限する必要のある映像となっているに過ぎない場合でも、視聴制限を行った場合、全ての映像の再生が禁止されてしまう。このため、ユーザにとっては、パレンタルロック機能による視聴制限が使い勝手の悪いものに感じられることがあった。
【０００６】
本発明は上記課題を解決するため創案されたものであって、その目的は、一部に視聴制限のシーンがあるのみで光ディスクの全体が視聴制限の対象になってしまうという不便さを解消することのでき、且つ、再生禁止に設定された範囲についても、パスワードを入力することによって視聴を行うようにすることのでき、且つ、再生禁止の範囲を設定するときにも、再生禁止に設定された範囲に対する処理をユーザの好みに応じたものとすることのでき、且つ、再生禁止の範囲の設定を削除することのできるディスク再生装置を提供することにある。
【０００７】
また本発明の目的は、光ディスクの任意の範囲を再生禁止に設定することを可能にし、再生禁止に設定された範囲のみの映像表示を禁止することによって、一部に視聴制限のシーンがあることから光ディスクの全体が視聴制限の対象になってしまうという不便さを解消することのできるディスク再生装置を提供することにある。
【０００８】
また上記目的に加え、正しいパスワードが入力されたときには、再生禁止に設定された範囲の再生を許可することにより、再生禁止に設定された範囲についても、パスワードを入力することによって視聴を行うようにすることのできるディスク再生装置を提供することにある。
【０００９】
また上記目的に加え、正しいパスワードが入力されたときには再生禁止に設定された範囲の映像表示の禁止を解除するパスワードモードと、自動的に再生禁止に設定された範囲を飛び越して再生するスキップモードとから一方のモードを選択可能とすることにより、再生禁止の範囲を設定するときにも、再生禁止に設定された範囲に対する処理を、ユーザの好みに応じたものとすることのできるディスク再生装置を提供することにある。
【００１０】
また上記目的に加え、再生禁止に設定された範囲については、音声のみを出力することにより、再生禁止に設定された範囲の映像の表示を停止するときにも、ストーリー進行の推測を容易にすることのできるディスク再生装置を提供することにある。
【００１１】
また上記目的に加え、再生禁止に設定された範囲については、字幕のみを表示することにより、再生禁止に設定された範囲の映像の表示を停止するときにも、ストーリー進行の推測を容易にすることのできるディスク再生装置を提供することにある。
【００１２】
また上記目的に加え、再生禁止に設定された範囲の飛び越し再生を行うときには、再生禁止に設定された範囲を飛び越して再生していることを示すメッセージを表示することにより、再生禁止に設定された範囲を飛び越して再生を行うことから、ストーリー進行が不連続となるときにも、違和感を感じることなく視聴を続けることのできるディスク再生装置を提供することにある。
【００１３】
また上記目的に加え、再生禁止に設定された範囲については、粗筋を表示することにより、再生禁止に設定された範囲の映像の表示を停止するときにも、ストーリー進行を知らせることのできるディスク再生装置を提供することにある。
【００１４】
【課題を解決するための手段】
上記課題を解決するため本発明に係るディスク再生装置は、少なくとも映像と音声とが記録された光ディスクを再生して得られた信号を表示装置に出力することによって、表示装置において映像を表示するとともに表示装置において音声を出力するディスク再生装置に適用している。そして、予め入力されたパスワードを記憶するパスワード記憶手段と、光ディスクの再生を禁止する範囲であり、禁止開始位置と禁止終了位置とによって範囲が示される再生禁止範囲を、光ディスクを識別するディスク識別情報に対応付けて記憶する禁止情報記憶手段とを備えている。また、パスワードモードとスキップモードとの２種のモードから一方のモードが選択可能となっており、再生対象となる光ディスクが、禁止情報記憶手段においてディスク識別情報と再生禁止範囲とが対応付けられる形で記憶された光ディスクであり、且つ、スキップモードが選択されていたときには、前記再生禁止範囲を飛び越した再生を行い、再生対象となる光ディスクが、禁止情報記憶手段においてディスク識別情報と再生禁止範囲とが対応付けられる形で記憶された光ディスクであり、且つ、パスワードモードが選択されていたきには、前記再生禁止範囲の禁止開始位置まで光ディスクの再生を行ったときにパスワードの入力を求め、入力されたパスワードがパスワード記憶手段に記憶されたパスワードと一致するときには前記再生禁止範囲の再生を行うようになっている。また、パスワード記憶手段に記憶されたパスワードに一致するパスワードが入力されたときには、禁止情報記憶手段に記憶された再生禁止範囲の削除を許可している。
【００１５】
すなわち、過激な映像等となる範囲を、再生を禁止する範囲として指示すると、指示された範囲は、再生禁止範囲として禁止情報記憶手段に記憶される。従って、再生時では、再生の禁止を指示した範囲（再生禁止範囲）の再生が禁止され、その他の範囲については、再生が禁止されない。また、パスワード記憶手段に記憶されたパスワードに一致するパスワードを入力した場合には、再生禁止範囲の再生の禁止が解除される。また、パスワードモードを選択したときでは、パスワードを入力する手間が必要になるが、再生禁止範囲の再生禁止を解除することができ、スキップモードを選択すると、再生禁止範囲が自動で飛び越し再生される。また、パスワード記憶手段に記憶されたパスワードに一致するパスワードを入力する場合では、再生禁止範囲の設定を解除することができる。
【００１６】
また本発明に係るディスク再生装置は、少なくとも映像と音声とが記録された光ディスクを再生して得られた信号を表示装置に出力することによって、表示装置において映像を表示するとともに表示装置において音声を出力するディスク再生装置に適用している。そして、光ディスクの再生を禁止する範囲であり、禁止開始位置と禁止終了位置とによって範囲が示される再生禁止範囲を、光ディスクを識別するディスク識別情報に対応付けて記憶する禁止情報記憶手段を備え、再生対象となる光ディスクが、禁止情報記憶手段においてディスク識別情報と再生禁止範囲とが対応付けられる形で記憶された光ディスクであるときには、前記再生禁止範囲の映像表示を禁止している。
【００１７】
すなわち、過激な映像等となる範囲を、再生を禁止する範囲として指示すると、指示された範囲は、再生禁止範囲として禁止情報記憶手段に記憶される。従って、再生時では、再生の禁止を指示した範囲（再生禁止範囲）の映像表示が禁止され、その他の範囲については、映像表示が禁止されない。
【００１８】
また上記構成に加え、予め入力されたパスワードを記憶するパスワード記憶手段を備えている。そして、禁止情報記憶手段に記憶された再生禁止範囲の禁止開始位置まで光ディスクの再生を行ったときにパスワードの入力を求め、入力されたパスワードがパスワード記憶手段に記憶されたパスワードと一致するときには、前記再生禁止範囲の映像表示の禁止を解除するようにしている。すなわち、パスワード記憶手段に記憶されたパスワードに一致するパスワードを入力した場合には、再生禁止範囲の映像表示の禁止が解除される。
【００１９】
また上記構成に加え、予め入力されたパスワードを記憶するパスワード記憶手段を備え、禁止情報記憶手段に記憶された再生禁止範囲の禁止開始位置まで光ディスクの再生を行ったときにパスワードの入力を求め、入力されたパスワードがパスワード記憶手段に記憶されたパスワードと一致するときには、前記再生禁止範囲の映像表示の禁止を解除するパスワードモードと、パスワードの入力を求めることなく前記再生禁止範囲を飛び越した再生を行うスキップモードとの２種のモードから一方のモードを選択可能としている。すなわち、パスワードモードを選択すると、パスワードを入力する手間が必要になるが、再生禁止範囲の再生禁止を解除することができ、スキップモードを選択すると、パスワードの入力を求められることがなくなって、パスワードを入力するという手間を要することなく、再生禁止範囲を自動的に飛び越して再生を行わせることができる。
【００２０】
また上記構成に加え、禁止情報記憶手段に記憶された再生禁止範囲については、表示装置において映像の表示を行うことなく表示装置において音声を出力している。すなわち、再生禁止範囲については、音声が出力される。
【００２１】
また上記構成に加え、禁止情報記憶手段に記憶された再生禁止範囲については、表示装置において、映像を表示することなく字幕を表示している。すなわち、再生禁止範囲については字幕が表示される。
【００２２】
また上記構成に加え、禁止情報記憶手段に記憶された再生禁止範囲については飛び越した再生を行うとともに、前記再生禁止範囲を飛び越して再生したことを示すメッセージを表示装置において表示している。すなわち、再生禁止範囲を飛び越して再生を行うときには、再生禁止範囲を飛び越して再生していることを示すメッセージが表示される。
【００２３】
また上記構成に加え、再生対象となる光ディスクは、少なくとも映像と音声とが記録され、且つ、記録された映像の粗筋が文字情報として記録された光ディスクであり、禁止情報記憶手段に記憶された再生禁止範囲については、表示装置において映像の表示を行うことなく、光ディスクに記録された粗筋のうちの前記再生禁止範囲に対応する粗筋を表示装置において表示している。すなわち、再生禁止範囲については、粗筋が表示される。
【００２４】
【発明の実施の形態】
以下に本発明の実施例の形態を、図面を参照しつつ説明する。
図１は、本発明に係るディスク再生装置の第１の実施形態の電気的構成を示すブロック線図である。
【００２５】
図において、ディスク再生手段２は、映像が記録されたＤＶＤ（光ディスク）１からの情報を読み取るピックアップ、ピックアップの出力からデジタルデータを復調する信号処理回路、復調されたデジタルデータを伸長することにより、映像信号と音声信号とを復調するデコード回路、ピックアップの読み取り位置をトラックに追従させるためのサーボ回路、等を備えている。そして、ＤＶＤ１を再生して得られた映像信号と音声信号とを、出力端子９を介して、テレビ受像機（表示装置）１０に出力する。入力手段４は、前面パネルに設けられた複数のキースイッチや、リモートコントローラ５からの赤外線信号を受光する受光ユニット等を備えたブロックとなっており、ユーザからの指示が入力される。また、入力されたユーザからの指示を制御手段３に送出する。
【００２６】
制御手段３と双方向性に接続されたメモリ６は、不揮発性の記憶素子からなり、禁止情報記憶手段７およびパスワード記憶手段８、等を構成している。禁止情報記憶手段７は、ＤＶＤ１を再生するときに、再生を禁止する範囲である再生禁止範囲の開始位置を示す禁止開始位置と、再生禁止範囲の終了位置を示す禁止終了位置とを、ＤＶＤ１を識別するディスク識別情報に対応付けて記憶するようになっている。なお、本実施形態においては、ディスク識別情報にはＤＶＤ１のタイトルを用いている。パスワード記憶手段８は、予め、リモートコントローラ５等を用いて入力されたパスワードを記憶する。なお、パスワード記憶手段８に記憶されたパスワードは、再生禁止範囲の再生の許可を求めるときや、再生禁止範囲の削除を行うときに入力されるパスワードが正しいかどうかの判定に使用される。
【００２７】
制御手段３は、マイクロコンピュータを主要部として構成されており、ディスク再生装置としての主要動作を制御する。このため、ディスク再生手段２の動作を制御する。また、本実施形態には、再生禁止範囲の再生に関するモードとして、パスワードモードとスキップモードとが用意されており、ユーザは、好みに応じて、パスワードモードとスキップモードとの２種のモード（後に詳述する）の一方を選択することが可能になっている。そして、ユーザにより選択されたモードは、制御手段３において記憶される。
【００２８】
また、制御手段３は、パスワードモードにおいては、禁止情報記憶手段７に記憶されたディスク識別情報から、再生しようとするＤＶＤ１に再生禁止範囲が設定されていることが判明した場合、再生禁止範囲の禁止開始位置まで再生した後、再生禁止範囲の再生を一時的に保留する。そして、パスワードの入力を求め、入力されたパスワードがパスワード記憶手段８に記憶されたパスワードに一致すると、再生禁止範囲の一時的な再生の保留を解除して、前記再生禁止範囲の再生を行う。しかし、入力されたパスワードがパスワード記憶手段８に記憶されたパスワードとは異なる場合、あるいは、パスワードが入力されない場合では、再生禁止範囲を飛び越して、再生禁止範囲の後ろに続く位置から再生を再開する。
【００２９】
また、制御手段３は、スキップモードにおいては、禁止情報記憶手段７に記憶されたディスク識別情報から、再生しようとするＤＶＤ１に、再生禁止範囲が設定されていることが判明した場合、再生禁止範囲の禁止開始位置まで再生した後、再生禁止範囲の後ろに続く位置から再生を再開する。すなわち、再生禁止範囲を飛び越した再生を行う。
【００３０】
また、制御手段３は、再生を禁止された範囲に関する一覧表示の指示が与えられた場合、禁止情報記憶手段７に記憶された内容をテレビ受像機１０に一覧表示するための制御を行う。図５は、このときに表示される情報の一覧を示しており、ＤＶＤ１を識別するためのディスク識別情報であるタイトルに対応付けて、禁止開始位置と禁止終了位置とが表示される。なお、１つのタイトルに対して、禁止開始位置と禁止終了位置との組が複数組表示される場合では、１つのＤＶＤにおいて、複数の範囲が再生禁止に設定されていることを示している（例えば、タイトルが『ＢＢＢＢ』により示されるＤＶＤは、３つの範囲が再生禁止に設定されている）。
【００３１】
そして、テレビ受像機１０に表示された再生禁止範囲の一覧を参照しつつ、リモートコントローラ５を用いることにより、禁止の範囲の削除を行うことができるようになっている。この削除の方法は、タイトルを指定して削除する場合では、該当するＤＶＤ１に対して設定された再生禁止範囲の全てが削除される（例えば、タイトルの『ＢＢＢＢ』を指定して削除を行うと、設定された３つの再生禁止範囲の全てが、タイトルとともに削除される）。また、禁止開始位置（禁止終了位置でもよい）を指定して削除する場合では、指定された禁止開始位置に対応する再生禁止範囲の設定が削除されるようになっている（再生禁止範囲の設定が１箇所のみであるときには、タイトルも併せて削除される）。なお、このときでは、パスワードの入力が求められ、入力されたパスワードが正しいときにのみ、削除が可能になっている。
【００３２】
図２は、第１の実施形態の再生時の主要動作を示すフローチャート、図３は、再生禁止範囲の設定時の主要動作を示すフローチャートである。必要に応じて同図を参照しつつ、第１の実施形態の動作を説明する。
【００３３】
既に述べたように、パスワードモードにおいてはパスワードの入力が求められ、入力されたパスワードが正しいかどうかが判定される。また、再生禁止範囲を削除するときにもパスワードの入力が求められ、入力されたパスワードが正しいかどうかが判定される。このため、制御手段３は、初期設定の動作として、パスワードの入力を求める画面をテレビ受像機１０に表示し、パスワードの入力を求める。この表示に従い、リモートコントローラ５を用いてパスワードを入力すると、入力されたパスワードはパスワード記憶手段８に記憶される。
【００３４】
次いで、制御手段３は、パスワードモードとスキップモードとのうち、一方のモードを選択するための画面をテレビ受像機１０に表示する。この表示に基づき、ユーザがモードを選択すると、選択されたモードは、制御手段３に記憶される（パスワードモードが選択されたとする）。
【００３５】
以上で初期設定の動作についての説明を終了し、以下に、再生禁止範囲の設定時の動作について説明する。
【００３６】
ＤＶＤ１がトレイにセットされ、所定位置に引き込まれると、ＤＶＤ１のタイトル等の情報の読み取りが行われる（ステップＳ１１）。次いで、制御手段３は、セットされたＤＶＤ１が、禁止情報記憶手段７において、ディスク識別情報と再生禁止範囲とが対応付けられる形で記憶されたＤＶＤ１であるかどうかを調べる。すなわち、制御手段３は、ＤＶＤ１から読み取ったタイトルと同じタイトルが、禁止情報記憶手段７のタイトルの記憶エリアに記憶されているかどうかを調べる（ステップＳ１２）。同じタイトルが記憶されているときには、セットされたＤＶＤ１は、既に再生禁止範囲が設定されているＤＶＤ１であると判定し、動作をステップＳ１２から、図２に示すステップＳ１に移行する。
【００３７】
一方、読み取ったタイトルと同じタイトルが禁止情報記憶手段７に記憶されていないときでは、制御手段３は、再生禁止範囲が未設定であると判定する（ステップＳ１２）。そして、再生の開始が指示されたときには、ＤＶＤ１の再生を開始する（ステップＳ１３）。再生の動作を行っているときでは、ステップＳ１４〜Ｓ１７のループ動作が繰り返される。すなわち、前方や後方へのサーチキーが操作されたかどうか、一時停止キーが操作されたかどうか、再生禁止範囲を設定するためのキースイッチであるロックキー（リモートコントローラ５に設けられている）が操作されたかどうか、再生を停止する停止キーが操作されたかどうかが調べられる（これらのキースイッチは図示が省略されている）。
【００３８】
そして、サーチキーが操作された場合では、操作されたキースイッチに従って、前方や後方へのサーチを行う（ステップＳ１４，Ｓ１８）。また、一時停止キーが操作されたときでは、再生を一時停止する（ステップＳ１５，Ｓ１９）。また、再生の停止キーが操作されたときでは、再生の動作を終了する（ステップＳ１７）。
【００３９】
一方、上記したループ動作において、ユーザが、現在再生している位置を再生の禁止範囲の開始位置に設定するため、ロックキーを操作したとする。ロックキーを操作すると、制御手段３は、現在再生中のＤＶＤ１に関して、再生禁止範囲の禁止開始位置が既に設定されているかどうかを調べる（禁止情報記憶手段７において、現在セットされているＤＶＤ１のタイトルに対応付ける形で、禁止開始位置が記憶されているかどうかを調べる）。このときでは、禁止開始位置が設定されていないので、制御手段３は、ロックキーが操作されたときのＤＶＤ１の再生位置を、禁止開始位置として、現在再生中のＤＶＤ１のタイトルと互いに対応付ける形で、禁止情報記憶手段７に記憶する（ステップＳ１６，Ｓ２０，Ｓ２１）。
【００４０】
制御手段３が、禁止開始位置を、タイトルと互いに対応付ける形で禁止情報記憶手段７に記憶しているときにも再生が継続されている。また、この再生中において、範囲の確認のため、サーチキーや一時停止キーを操作すると、対応する動作が実行される。そして、再生位置が、再生を禁止したい範囲の終りの位置となったことから、ユーザがロックキーを操作すると、禁止開始位置が既に設定されているため、制御手段３は、動作を、ステップＳ２０からステップＳ２２に移行する。そして、ロックキーが操作されたときの再生位置を、禁止終了位置として、タイトルに対応付ける形で、禁止情報記憶手段７に記憶する。
【００４１】
一方、ステップＳ１４〜Ｓ１７のループ動作においては、再生中のＤＶＤ１が、再生禁止範囲が設定されたＤＶＤであるのか、あるいは、再生禁止範囲が未設定のＤＶＤであるのかの判定（禁止情報記憶手段７に、同じタイトル名が再生禁止範囲に対応付ける形で既に記憶されているかどうかの判定）を行わないようになっている。従って、１箇所の再生禁止範囲を設定したことから、現在再生中のＤＶＤ１のタイトルが、禁止開始位置と禁止終了位置とに対応付けられる形で禁止情報記憶手段７に記憶されていても、現在再生中のＤＶＤ１に対しては、再生禁止範囲が設定されなかったときと同じように動作が実行される。従って、再度ロックキーを操作すると、２つ目の再生禁止範囲の禁止開始位置を禁止情報記憶手段７に記憶させるための制御が行われる。そして後、ロックキーを操作したときには、２つ目の再生禁止範囲の禁止終了位置を禁止情報記憶手段７に記憶させるための制御が行われる。すなわち、ユーザが望む数の再生禁止範囲を設定して、禁止情報記憶手段７に記憶させることができるようになっている。
【００４２】
なお、再生禁止範囲を設定して後、ストップキーを操作して、再生を停止させると、動作は、ステップＳ１７からステップＳ１２に移行する。従って、このときでは、ＤＶＤ１は、取り換えを行っていないにもかかわらず、既に再生禁止範囲が設定されたＤＶＤ１であると見なされるようになっている。
【００４３】
すなわち、再生禁止範囲の設定においては、再生を開始して後、ストップキーによる停止をしない限りでは、前方や後方にサーチしたり、一時停止を行うときにも、再生禁止範囲の設定が終了したとは見なされないようになっている。このため、再生禁止範囲の設定において、再生禁止に設定する範囲を確認することが容易となっている。また、禁止開始位置や禁止終了位置を、ユーザの望む位置に容易に設定することができるようになっている。また、複数の箇所に渡って、再生禁止範囲を設定することができるようになっている。
【００４４】
以上で、再生禁止範囲の設定時の動作説明を終了し、以下に、再生禁止範囲が設定されたＤＶＤ１を再生するときの動作について説明する。
【００４５】
ＤＶＤ１をトレイにセットすると、タイトル等の情報がＤＶＤ１から読み取られる。そして、読み取られたタイトルに基づき、禁止情報記憶手段７を参照することによって、セットされたＤＶＤ１が、再生禁止範囲が設定されたＤＶＤ１であるかどうかが調べられる（ステップＳ１１，Ｓ１２）。再生禁止範囲が設定されたＤＶＤ１である場合に、再生の開始を指示すると、動作はステップＳ１に移行して、ＤＶＤ１の再生が開始される。そして、再生が進行し、禁止情報記憶手段７に記憶された禁止開始位置まで再生を行ったときには、制御手段３は、このときのモードがパスワードモードであるのか、スキップモードであるのかを調べる（ステップＳ３）。
【００４６】
このときでは、パスワードモードであるため、動作をステップＳ４に移行し、再生を一時停止する。そして、パスワードの入力を求めるメッセージをテレビ受像機１０に表示する（ステップＳ５）。パスワードが入力されると、制御手段３は、入力されたパスワードが、パスワード記憶手段８に記憶されたパスワードに一致するかどうかを調べる。そして、パスワードが一致するときには、禁止開始位置からの再生を再開する。従って、このときでは、再生禁止範囲を含めて、禁止開始位置から後方の再生が再開される（ステップＳ６，Ｓ７）。
【００４７】
一方、入力されたパスワードが、パスワード記憶手段８に記憶されたパスワードに一致しないとき、あるいは、所定時間が経過してもパスワードが入力されないときには、動作は、ステップＳ６からステップＳ９に移行し、禁止終了位置からの再生が再開される。すなわち、再生禁止範囲は再生されず、再生禁止範囲を飛び越した位置から再生が再開される。
【００４８】
以上で、パスワードモードが選択されていた場合の動作説明を終了し、以下に、スキップモードが選択されている場合の動作について説明する。
【００４９】
スキップモードが選択されている場合でも、ステップＳ３までの動作は、パスワードモードが選択されていた場合と同じ動作となる。すなわち、再生禁止範囲が設定されたＤＶＤ１を再生すると、禁止開始位置となったときには、パスワードモードかどうかが調べられる。そして、このときでは、パスワードモードでないことから、動作は、ステップＳ３からステップＳ９に移行し、禁止終了位置からの再生が再開される。すなわち、再生禁止範囲は再生されず、再生禁止範囲を飛び越した位置から再生が再開される。なお、再生中には、任意のタイミングにおいてストップキーを操作すると、再生動作が終了する（ステップＳ８）。
【００５０】
以上で、再生禁止範囲が設定されたＤＶＤ１の再生時の動作についての説明を終了し、以下に、既に設定された再生禁止範囲を削除する場合の動作について、図４、図５を参照しつつ、説明する。
【００５１】
家族に低年齢の子供がいたことから、複数枚のＤＶＤに関して、再生禁止範囲を設定していたけれど、子供の成長等の理由によって、再生禁止範囲の設定が不要となった場合には、リモートコントローラ５を用いることによって、図５に示す再生禁止範囲の一覧２１を表示させる（ステップＳ３１）。この一覧２１を見ることによって、どのＤＶＤに再生禁止範囲が設定されているのかを知ることができる。そして、一覧と同じ画面に表示されたメニュー（図示を省略）から、再生禁止範囲の削除を選択すると、パスワードの入力を求めるメッセージが表示される（ステップＳ３２，Ｓ３３）。
【００５２】
パスワードが入力されると、制御手段３は、入力されたパスワードが、パスワード記憶手段８に記憶されたパスワードに一致するかどうかを調べる。パスワードが一致するときには、削除のモードとなり、カーソルを用いてタイトルを指定して削除を行うと、タイトルを指定したＤＶＤの再生禁止範囲の設定が削除されて、全範囲が再生可能になる（タイトルに対応付けて記憶された再生禁止範囲の全てが、ディスク識別情報とともに削除される）。禁止開始位置（禁止終了位置でもよい）を指定して削除する場合では、指定された禁止開始位置に対応する再生禁止範囲の設定が削除される。詳細には、ディスク識別情報に対応付けられた再生禁止範囲が１つである場合に、この操作を行うと、ディスク識別情報も併せて削除される。また、ディスク識別情報に対応付けて記憶された再生禁止範囲がｎ個である場合に、この操作を行うと、ディスク識別情報に対応付けて記憶される再生禁止範囲の数は、（ｎ−１）個となる（ステップＳ３４，Ｓ３５）。
【００５３】
なお、入力されたパスワードがパスワード記憶手段８に記憶されたパスワードに一致しなかったときや、パスワードが入力されないときでは、再生禁止範囲の削除を行うことができないようになっている。
【００５４】
以上で、第１の実施形態についての説明を終了し、以下に、第２の実施形態について説明する。第２の実施形態と第１の実施形態との差異は、再生禁止範囲が設定されたＤＶＤ１を再生するときの動作のみとなっており、第２の実施形態の電気的構成は、図１に示す構成と同一となっている。このため、再生禁止範囲が設定されたＤＶＤ１を再生する場合についての構成と動作とについてのみ説明を行い、その他の説明を省略する。
【００５５】
なお、第２の実施形態においては、パスワードは、再生禁止範囲の設定を削除するときにのみ使用される。また、２つのモードから１つのモードを選択するようにはなっていない。従って、初期設定は、パスワード記憶手段８に記憶させるパスワードの入力のみとなる。
【００５６】
以下に、必要に応じて図６を参照しつつ、第２の実施形態について説明すると、制御手段３は、再生禁止範囲が設定されたＤＶＤ１を再生する場合、禁止開始位置まで再生したときには、テレビ受像機１０において映像を表示することを停止し、音声のみがテレビ受像機１０から出力されるようにする。すなわち、ＤＶＤ１を再生して得られた映像を示す映像信号を出力することなく、例えば、ブルー画面等を示す映像信号をテレビ受像機１０に出力する。また、音声信号については、ＤＶＤ１を再生して得られた音声を示す音声信号をテレビ受像機１０に出力する。その結果、再生禁止範囲については、映像の表示が停止されるが、音声は中断されることなく出力される。このため、ユーザは、映像については、過激なために視聴を制限されるが、音声を参考にすることによって、再生禁止範囲におけるストーリー進行を容易に推測できるようになる。
【００５７】
動作について詳細に説明すると、再生禁止範囲の禁止開始位置まで再生したときにも、制御手段３は、ディスク再生手段２に、ＤＶＤ１の再生を継続させる。しかし、テレビ受像機１０に出力する映像信号については、ブルーバック等の映像を示す信号とすることによって、テレビ受像機１０における映像の表示を停止する。一方、音声信号については、禁止開始位置に至るまでの再生時と同様に、ＤＶＤ１から再生した音声を示す音声信号をテレビ受像機１０に出力する（ステップＳ４１，Ｓ４２）。
【００５８】
上記した状態でもって禁止終了位置まで再生をした後には、ＤＶＤ１を再生して得られた映像を示す映像信号をテレビ受像機１０に出力し、テレビ受像機１０において映像を表示する。また、音声については、ＤＶＤ１を再生して得られた音声を示す音声信号の出力を継続する。すなわち、通常の再生時と同様に、テレビ受像機１０において映像を表示し、音声を出力する（ステップＳ４３，Ｓ４４）。そして、以下では、ステップＳ４１，Ｓ４５からなるループ動作が実行されるので、２つ目の再生禁止範囲が設定されている場合では、上記した動作と同じ動作が実行され、ストップキーを操作したときでは、再生は終了する。
【００５９】
以上で、第２の実施形態についての説明を終了し、以下に、第３の実施形態について説明する。第３の実施形態と第１の実施形態との差異は、再生禁止範囲が設定されたＤＶＤ１を再生するときの動作のみとなっており、第３の実施形態の電気的構成は、図１に示す構成と同一となっている。このため、再生禁止範囲が設定されたＤＶＤ１を再生する場合についての構成と動作とについてのみ説明を行い、その他の説明を省略する。
【００６０】
なお、第３の実施形態においては、パスワードは、再生禁止範囲の設定を削除するときにのみ使用される。また、２つのモードから１つのモードを選択するようにはなっていない。従って、初期設定は、パスワード記憶手段８に記憶させるパスワードの入力のみとなる。
【００６１】
以下に、必要に応じて図７を参照しつつ、第３の実施形態について説明すると、制御手段３は、再生禁止範囲が設定されたＤＶＤ１を再生する場合、禁止開始位置まで再生したときには、テレビ受像機１０において映像を表示することを停止し、字幕のみがテレビ受像機１０において表示されるようにする。すなわち、ＤＶＤ１を再生して得られた映像を示す映像信号を出力することなく、ＤＶＤ１を再生して得られた字幕を示す映像信号をテレビ受像機１０に出力する。また、音声信号の出力を停止する。その結果、再生禁止範囲については、映像の表示と音声の出力が停止されるが、字幕は中断されることなく表示される。このため、ユーザは、映像や音声については、過激なために視聴を制限されるが、字幕を参考にすることによって、再生禁止範囲におけるストーリー進行を容易に推測できるようになる。
【００６２】
動作について詳細に説明すると、再生禁止範囲の禁止開始位置まで再生したときにも、制御手段３は、ディスク再生手段２に、ＤＶＤ１の再生を継続させる。しかし、テレビ受像機１０に出力する映像信号については、ブルーバック等の映像を示すとともに、ＤＶＤ１の再生を継続することにより得られた字幕を示す映像信号をテレビ受像機１０に出力する。また、音声信号の出力を停止する。その結果、テレビ受像機１０においては、映像が表示されず、且つ、音声も出力さないが、字幕は表示されることになる（ステップＳ５１，Ｓ５２）。
【００６３】
上記した状態でもって禁止終了位置まで再生をした後には、ＤＶＤ１を再生して得られた映像を示す映像信号をテレビ受像機１０に出力し、テレビ受像機１０において映像を表示する。また、音声については、ＤＶＤ１を再生して得られた音声を示す音声信号を出力する。すなわち、通常の再生時と同様に、テレビ受像機１０において映像を表示し、音声を出力する。また、字幕の表示を継続する（ステップＳ５３，Ｓ５４）。そして、以下では、ステップＳ５１，Ｓ５５からなるループ動作が実行されるので、２つ目の再生禁止範囲が設定されている場合では、上記した動作と同じ動作が実行され、ストップキーを操作したときでは、再生は終了する。
【００６４】
以上で、第３の実施形態についての説明を終了し、以下に、第４の実施形態について説明する。第４の実施形態と第１の実施形態との差異は、再生禁止範囲が設定されたＤＶＤ１を再生するときの動作のみとなっており、第４の実施形態の電気的構成は、図１に示す構成と同一となっている。このため、再生禁止範囲が設定されたＤＶＤ１を再生する場合についての構成と動作とについてのみ説明を行い、その他の説明を省略する。
【００６５】
なお、第４の実施形態においては、パスワードは、再生禁止範囲の設定を削除するときにのみ使用される。また、２つのモードから１つのモードを選択するようにはなっていない。従って、初期設定は、パスワード記憶手段８に記憶させるパスワードの入力のみとなる。
【００６６】
以下に、必要に応じて図８を参照しつつ、第４の実施形態について説明すると、制御手段３は、再生禁止範囲が設定されたＤＶＤ１を再生する場合、禁止開始位置まで再生したときには、ＤＶＤ１の再生を停止させる。また、再生禁止範囲の長さを求める（例えば５分とする）。そして、現在まで再生した後に続く、求めた長さ分（５分分）の範囲については、再生が禁止されているので、この５分分の範囲を飛び越して再生する旨のメッセージをテレビ受像機１０に表示する制御を行う。つまり、禁止開始位置まで再生した後には、飛び越した再生を行うメッセージをテレビ受像機１０に表示した後、禁止終了位置から再生を行うための制御を行う。このため、ユーザは、ストーリー進行が不連続となるにもかかわらず、あまり違和感を感じることなく、視聴を続けることができるようになる。
【００６７】
動作について詳細に説明すると、再生禁止範囲の禁止開始位置まで再生したときには、制御手段３は、ディスク再生手段２によるＤＶＤ１の再生を停止させる（ステップＳ６１，Ｓ６２）。そして後、再生禁止範囲の長さを求める（ステップＳ６３）。求めた長さ分の再生が飛び越しされることを示すメッセージをテレビ受像機１０に表示する（ステップＳ６４）。次いで、禁止終了位置からの再生を再開する（ステップＳ６５）。そして、以下では、ステップＳ６１，Ｓ６６からなるループ動作が実行されるので、２つ目の再生禁止範囲が設定されている場合では、上記した動作と同じ動作が実行され、ストップキーを操作したときでは、再生は終了する。
【００６８】
以上で、第４の実施形態についての説明を終了し、以下に、第５の実施形態について説明する。第５の実施形態と第１の実施形態との差異は、再生禁止範囲が設定されたＤＶＤ１を再生するときの動作、および、再生対象となる光ディスクの構成が異なっているのみである。また、第５の実施形態の電気的構成は、図１に示す構成と同一となっている。このため、再生対象となる光ディスクの構成と、再生禁止範囲が設定されたＤＶＤ１を再生する場合についての構成と動作とについてのみ説明を行い、その他の説明を省略する。
【００６９】
なお、第５の実施形態においては、パスワードは、再生禁止範囲の設定を削除するときにのみ使用される。また、２つのモードから１つのモードを選択するようにはなっていない。従って、初期設定は、パスワード記憶手段８に記憶させるパスワードの入力のみとなる。
【００７０】
本実施形態において再生対象となる光ディスクは、ＤＶＤと同様に、本編映像や複数種の言語による音声や複数種の言語による字幕等が記録されるととも、本編映像に対応する粗筋が文字情報として記録された構成となっている。すなわち、図１０に示したように、本編映像が、例えば、約１分程度を基準長さとして、本編映像の進行に応じ、例えば、ある範囲については３０秒、また、ある範囲については３分といったように、不定な長さの複数の期間ｔ１〜ｔ６に分割されている。
【００７１】
そして、分割された各期間ｔ１〜ｔ６のそれぞれは、本編映像の開始時刻を０とする時間でもって示されるようになっている。すなわち、例えば、期間ｔ２を例にとると、期間ｔ２は、経過時間がＴ１からＴ２の範囲として示される。そして、各期間ｔ１〜ｔ６のそれぞれについて、その期間ｔ１〜ｔ６におけるストーリーの粗筋が、文字情報として記録されるようになっている。
【００７２】
また、本実施形態における制御手段３は、再生禁止範囲が設定された光ディスク１を再生する場合、禁止開始位置まで再生したときに、光ディスク１の映像の再生を停止させる。そして、再生禁止範囲に設定された範囲の粗筋を光ディスク１から読み出し、テレビ受像機１０に表示するための制御を行う。そして後、禁止終了位置から再生を行うための制御を行う。このため、ユーザは、再生が禁止された範囲のストーリーを、表示された粗筋から知ることができる。このため、再生禁止範囲の映像の表示や音声の出力が停止されるにもかかわらず、再生禁止範囲の禁止終了位置から再生された映像や音声を、ストーリー進行が不連続となったような感じを持つこともなく、快適に視聴することができるようになる。
【００７３】
動作について説明すると（時刻Ｔ１１から時刻Ｔ１２の範囲ｔ１１が再生禁止範囲に設定されているとする）、制御手段３は、再生禁止範囲の禁止開始位置である時刻Ｔ１１まで再生したときには、ディスク再生手段２によるＤＶＤ１の再生を停止させる（ステップＳ７１，Ｓ７２）。そして後、時刻Ｔ１１が属する期間ｔ２から、時刻Ｔ１２が属する期間ｔ５までの範囲の粗筋を光ディスク１から読み出し、テレビ受像機１０に表示する（ステップＳ７３）。
【００７４】
そして、粗筋の読み取りを終えたことから、再生の続行を指示されると、制御手段３は、再生禁止範囲の禁止終了位置（時刻Ｔ１２）からの再生（映像の表示と音声の出力）を再開する（ステップＳ７４）。そして、以下では、ステップＳ７１，Ｓ７５からなるループ動作が実行される。このため、２つ目の再生禁止範囲が設定されている場合では、上記した動作と同じ動作が実行され、ストップキーを操作したときでは、再生は終了する。
【００７５】
なお、再生禁止として設定された範囲が、例えば、時刻Ｔ１３から時刻Ｔ１２の期間ｔ１２であるときには、粗筋は、時刻Ｔ１３が属する期間ｔ３から、時刻Ｔ１２が属する期間ｔ５までの範囲の粗筋を表示する動作が実行される。
【００７６】
なお、本発明は上記実施形態に限定されず、テレビ受像機（表示装置）１０が一体に構成されたディスク再生装置や、ビデオカセットレコーダとテレビ受像機１０とが一体に構成されたディスク再生装置の場合にも、同様に適用することができる。
【００７７】
【発明の効果】
以上説明したように、本発明では、過激な映像等となる範囲を、再生を禁止する範囲として指示すると、指示された範囲は、再生禁止範囲として禁止情報記憶手段に記憶される。従って、再生時では、再生の禁止を指示した範囲（再生禁止範囲）の再生が禁止され、その他の範囲については、再生が禁止されない。また、パスワード記憶手段に記憶されたパスワードに一致するパスワードを入力した場合には、再生禁止範囲の再生の禁止が解除される。また、パスワードモードを選択すると、パスワードを入力する手間が必要になるが、再生禁止範囲の再生禁止を解除することができ、スキップモードを選択すると、パスワードの入力の求めに対応する操作を入力することなく、再生禁止範囲を自動的に飛び越して再生を行わせることができる。また、パスワード記憶手段に記憶されたパスワードに一致するパスワードを入力する場合では、再生禁止範囲の設定を解除することができる。このため、一部に視聴制限のシーンがあるのみで光ディスクの全体が視聴制限の対象になってしまうという不便さを解消することができ、且つ、再生禁止に設定された範囲についても、パスワードを入力することによって視聴を行うようにすることができ、且つ、再生禁止の範囲を設定するときにも、再生禁止に設定された範囲に対する処理を、ユーザの好みに応じたものとすることができ、且つ、再生の禁止の範囲の設定を削除することができる。
【００７８】
また本発明では、過激な映像等となる範囲を、再生を禁止する範囲として指示すると、指示された範囲は、再生禁止範囲として禁止情報記憶手段に記憶される。従って、再生時では、再生の禁止を指示した範囲（再生禁止範囲）の映像表示が禁止され、その他の範囲については、映像表示が禁止されない。このため、一部に視聴制限のシーンがあることから光ディスクの全体が視聴制限の対象になってしまうという不便さを解消することができる。
【００７９】
またさらに、パスワード記憶手段に記憶されたパスワードに一致するパスワードを入力した場合には、再生禁止範囲の映像表示の禁止が解除される。このため、再生禁止に設定された範囲についても、パスワードを入力することによって視聴を行うようにすることができる。
【００８０】
またさらに、また、パスワードモードを選択すると、パスワードを入力する手間が必要になるが、再生禁止範囲の映像表示の禁止を解除することができ、スキップモードを選択すると、パスワードの入力を求められることがなくなって、パスワードを入力するという手間を要することなく、再生禁止範囲を自動的に飛び越して再生を行わせることができる。このため、再生禁止に設定された範囲に対する処理を、ユーザの好みに応じたものとすることができる。
【００８１】
またさらに、再生禁止範囲については、音声が出力されるので、再生禁止に設定された範囲の映像表示を禁止するときにも、ストーリーの進行の推測を容易にすることができる。
【００８２】
またさらに、再生禁止範囲については字幕が表示されるので、再生禁止に設定された範囲の映像表示を禁止するときにも、ストーリー進行の推測を容易にすることができる。
【００８３】
またさらに、再生禁止範囲を飛び越して再生を行うときには、再生禁止範囲を飛び越して再生していることを示すメッセージが表示されるので、再生禁止に設定された範囲を飛び越して再生を行うことから、ストーリー進行が不連続となるときにも、違和感を感じることなく視聴を続けることができる。
【００８４】
またさらに、再生禁止範囲については、粗筋が表示されるので、再生禁止に設定された範囲の映像表示を禁止するときにも、ストーリー進行を知らせることができる。
【図面の簡単な説明】
【図１】本発明に係るディスク再生装置の一実施形態の電気的構成を示すブロック線図である。
【図２】第１の実施形態の再生時の主要動作を示すフローチャートである。
【図３】実施形態を用いて再生禁止範囲を設定するときの主要動作を示すフローチャートである。
【図４】禁止情報記憶手段に記憶された再生禁止範囲を削除するときの主要動作を示すフローチャートである。
【図５】表示装置に表示された再生禁止範囲の一覧を示す説明図である。
【図６】第２の実施形態の再生時の主要動作を示すフローチャートである。
【図７】第３の実施形態の再生時の主要動作を示すフローチャートである。
【図８】第４の実施形態の再生時の主要動作を示すフローチャートである。
【図９】第５の実施形態の再生時の主要動作を示すフローチャートである。
【図１０】粗筋の記録の様子を示す説明図である。
【符号の説明】
１  ＤＶＤ（光ディスク）
７  禁止情報記憶手段
８  パスワード記憶手段
１０  テレビ受像機（表示装置）
２１  再生禁止範囲の一覧
Ｓ７  映像表示の禁止を解除して映像を表示するステップ
Ｓ９  再生禁止範囲を飛び越して再生を行うステップ
Ｓ２１，Ｓ２２  再生禁止範囲を設定するステップ
Ｓ３５  禁止情報記憶手段から再生禁止範囲を削除するステップ
Ｓ４２  映像を表示することなく音声のみを出力するステップ
Ｓ５２  映像を表示することなく字幕を表示するステップ
Ｓ６４  再生禁止範囲を飛び越した再生であることを示すメッセージを表示するステップ
Ｓ７３  映像を表示することなく粗筋を表示するステップ
【図１】
2004259335.tif 000003
【図２】
2004259335.tif 000004
【図３】
2004259335.tif 000005
【図４】
2004259335.tif 000006
【図５】
2004259335.tif 000007
【図６】
2004259335.tif 000008
【図７】
2004259335.tif 000009
【図８】
2004259335.tif 000010
【図９】
2004259335.tif 000011
【図１０】
2004259335.tif 000012